(57)【要約】【課題】複数のフィルタを備えた音声調整機器において、ユーザが各フィルタのゲイン及びＱ値を直感的に認識でき、ゲイン及びＱ値の調整を簡単にでき、しかも、全フィルタ間のゲイン特性のバランスをユーザが把握し易いようにする。【解決手段】音声調整機器においては、各フィルタについて、増幅又は減衰対象の中心周波数の信号成分のゲインとＱ値とをリモコンにより独立して調整可能であり、全フィルタのゲイン特性Ｇ２がディスプレイに１つの周波数軸Ｌ１上に並べて一括表示される。それにより、ユーザが各フィルタのゲイン及びＱ値を直感的に認識できる。また、表示されるゲイン特性Ｇ２を見ながらリモコンによりゲイン及びＱ値を調整でき、調整操作が簡単になる。また、ディスプレイ上のゲイン特性Ｇ２の表示は、全フィルタのゲイン特性Ｇ２を１つの周波数軸Ｌ１上に並べたものなので、ユーザが全フィルタ間のゲイン特性Ｇ２のバランスを把握し易くなる。【選択図】図３
2013150277.tif 000002
【特許請求の範囲】
【請求項１】
入力される音声信号のうち、複数の周波数帯域の信号成分をそれぞれ増幅又は減衰させる複数のフィルタと、
前記複数のフィルタのゲイン特性を調整するための調整部と、
前記調整部により調整されたゲイン特性を表示する特性表示部と、を備えた音声調整機器において、
前記調整部は、前記複数のフィルタの各々について、前記フィルタによる増幅又は減衰対象の信号成分のうちの中心周波数の信号成分のゲインと、前記フィルタのゲイン特性のＱ値とを独立して調整可能とされており、
前記特性表示部は、前記複数のフィルタのゲイン特性を１つの周波数軸上に並べて表示することを特徴とする音声調整機器。
【請求項２】
前記特性表示部は、前記ゲイン特性をドット状に表示し、前記フィルタのゲイン特性曲線と前記周波数軸とで挟まれる範囲内のドットを、前記の範囲外のドットとは異なる色で表示し、前記中心周波数に対応するゲインを示すドットには、所定の色を付し、前記中心周波数以外の周波数に対応するゲインを示すドットには、前記中心周波数のドットとは濃さが異なる同色、又は前記中心周波数のドットとは別の色を付すことを特徴とする請求項１に記載の音声調整機器。
【請求項３】
請求項１又は請求項２に記載の音声調整機器と、
入力される映像信号に基づき、映像を表示する映像表示部と、を備え、
前記映像表示部は、前記特性表示部として兼用されることを特徴とするテレビジョン受像機。
【発明の詳細な説明】
【技術分野】
【０００１】
本発明は、音声信号の対周波数ゲイン特性を調整する音声調整機器及びそれを備えたテレビジョン受像機に関する。
【背景技術】
【０００２】
従来から、音声調整機器の一種であるパラメトリックイコライザにおいて、音声信号の特定周波数帯域の信号成分を増幅又は減衰させるフィルタと、そのフィルタの対周波数ゲイン特性を示す特性グラフを表示する表示器と、その表示器に表示された特性グラフ上でカーソルを動かすためのマウスと、そのマウスの操作によるカーソルの移動に応じてフィルタのゲイン特性を変更するＣＰＵとを備えたものが知られている。このパラメトリックイコライザにおいては、特性グラフの横軸と縦軸がそれぞれ周波数とゲインを示す。そして、特性グラフ上で、カーソルにより、ゲイン特性の中心周波数付近を指示してカーソルを縦方向に移動させると、フィルタの中心周波数に対応するゲインが変更される。また、カーソルにより、中心周波数から少し外れた箇所を指示してカーソルを横方向に移動させると、フィルタによる増幅又は減衰対象の信号成分の周波数帯域が拡大又は縮小し、フィルタのＱ値が変更される（例えば、特許文献１を参照）。このパラメトリックイコライザでは、表示器に特性グラフが表示されるので、ユーザがフィルタのゲイン特性（中心周波数に対応するゲイン及びＱ値）を直感的に把握することができる。また、ユーザが特性グラフを見ながらゲイン特性を変更することができ、変更操作が簡単になる。
【０００３】
また、このようなパラメトリックイコライザにおいて、音声信号の複数の周波数帯域でのゲインを調整できるようにするため、中心周波数が互いに異なる複数のフィルタを設け、それらのフィルタのゲイン特性を表示する際には、フィルタ毎にゲイン特性を切替え表示するものが知られている（例えば、特許文献２を参照）。
【０００４】
しかしながら、このパラメトリックイコライザでは、ユーザが各フィルタのゲイン特性をフィルタ毎にしか視認できないので、全フィルタ間のゲイン特性のバランスが把握し難く、イコライザによる調整後の音声の各周波数帯域の音量バランスを把握することが困難である。
【０００５】
上記の他に、音声調整機器として、フィルタのＱ値を数字で表示するものが知られているが（例えば、特許文献３、４を参照）、このような音声調整機器によって上記の問題を解決することは難しい。
【先行技術文献】
【特許文献】
【０００６】
【特許文献１】特開平０２−１１７２０２号公報
【特許文献２】特開平０９−１０１１７９号公報
【特許文献３】特開平０７−０２２８８２号公報
【特許文献４】特開２０１０−１４０１１５号公報
【発明の概要】
【発明が解決しようとする課題】
【０００７】
本発明は、上記の問題を解決するためになされたものであり、複数のフィルタを備えた音声調整機器において、ユーザが各フィルタのゲイン及びＱ値を直感的に認識でき、ゲイン及びＱ値の調整を簡単にでき、しかも、全フィルタ間のゲイン特性のバランスを把握し易い音声調整機器及びそれを備えたテレビジョン受像機を提供することを目的とする。
【課題を解決するための手段】
【０００８】
上記目的を達成するために本発明の音声調整機器は、入力される音声信号のうち、複数の周波数帯域の信号成分をそれぞれ増幅又は減衰させる複数のフィルタと、前記複数のフィルタのゲイン特性を調整するための調整部と、前記調整部により調整されたゲイン特性を表示する特性表示部と、を備えた音声調整機器において、前記調整部は、前記複数のフィルタの各々について、前記フィルタによる増幅又は減衰対象の信号成分のうちの中心周波数の信号成分のゲインと、前記フィルタのゲイン特性のＱ値とを独立して調整可能とされており、前記特性表示部は、前記複数のフィルタのゲイン特性を１つの周波数軸上に並べて表示することを特徴とする。
【０００９】
また、前記特性表示部は、前記ゲイン特性をドット状に表示し、前記フィルタのゲイン特性曲線と前記周波数軸とで挟まれる範囲内のドットを、前記の範囲外のドットとは異なる色で表示し、前記中心周波数に対応するゲインを示すドットには、所定の色を付し、前記中心周波数以外の周波数に対応するゲインを示すドットには、前記中心周波数のドットとは濃さが異なる同色、又は前記中心周波数のドットとは別の色を付すことが好ましい。
【００１０】
また、本発明のテレビジョン受像機は、前記音声調整機器と、入力される映像信号に基づき、映像を表示する映像表示部と、を備え、前記映像表示部は、前記特性表示部として兼用されることを特徴とする。
【発明の効果】
【００１１】
本発明によれば、特性表示部に表示される各フィルタのゲイン特性から、ユーザが各フィルタのゲイン及びＱ値を直感的に認識することができる。また、その表示されるゲイン特性を見ながら調整部を用いてゲイン及びＱ値を調整することができ、調整操作が簡単になる。しかも、特性表示部におけるゲイン特性の表示は、全フィルタのゲイン特性が１つの周波数軸上に並べられたものなので、ユーザが全フィルタ間のゲイン特性のバランスを把握し易くなる。
【図面の簡単な説明】
【００１２】
【図１】本発明の一実施形態に係るテレビジョン受像機の正面図。
【図２】上記テレビジョン受像機の電気的ブロック図。
【図３】上記テレビジョン受像機のディスプレイに表示されるフィルタのゲイン特性のグラフ。
【図４】上記ゲイン特性がゲイン調整及びＱ値調整に伴って変化する様子を示す図。
【図５】上記実施形態の一変形例に係るテレビジョン受像機におけるフィルタのゲイン特性のグラフ。
【発明を実施するための形態】
【００１３】
本発明の一実施形態に係る音声調整機器を備えたテレビジョン（以下、ＴＶという）受像機について図面を参照して説明する。図１は、そのＴＶ受像機の概略構成を示す。ＴＶ受像機１は、ＴＶ受像機本体１０と、ＴＶ受像機本体１０を無線通信により遠隔操作するためのリモートコントローラ（以下、リモコンという）５０とを備える。
【００１４】
ＴＶ受像機本体１０は、ディジタルＴＶ放送信号（以下、単に放送信号という）を受信する放送受信回路２（放送受信部）と、放送受信回路２により受信された放送信号中の音声信号に基づき、ＴＶ放送番組（以下、単に放送番組という）の音声を出力するスピーカ３と、スピーカ３から出力される音声の周波数特性を調整する音声調整機器４と、放送受信回路２により受信された放送信号中の映像信号に基づき、放送番組の映像を表示するディスプレイ５（映像表示部）と、ディスプレイ５を駆動するディスプレイ駆動回路６とを備える。
【００１５】
また、ＴＶ受像機本体１０は、リモコン５０からの操作信号を受信する受信回路７と、制御回路８とを備える。制御回路８は、受信回路７により受信された操作信号に基づき、放送受信回路２の受信制御、音声調整機器４の音声調整制御、及びディスプレイ駆動回路６を介したディスプレイ５の表示制御を行う。
【００１６】
図２は、ＴＶ受像機１の詳細構成を示す。放送受信回路２は、アンテナ９を介して受信する放送信号のチャンネルを選択し、その選択したチャンネルの放送信号を受信するチューナ２１と、チューナ２１により受信された放送信号を復調する復調回路２２と、復調回路２２により復調された放送信号から映像信号及び音声信号をそれぞれ分離するデマルチプレクサ２３と、デマルチプレクサ２３により分離された映像信号及び音声信号をそれぞれ復号化するデコーダ２４とを有する。
【００１７】
音声調整機器４は、デコーダ２４から入力される復号化後の音声信号の周波数特性を調整するＤＳＰ（Digital Signal Processor）４１と、ＤＳＰ４１による調整後の音声信号をＤ／Ａ変換するＤ／Ａ変換回路４２とを有する。
【００１８】
ＤＳＰ４１は、直列接続された５段のデジタルフィルタ（以下、単にフィルタという）４３Ａ〜４３Ｅ（以下、フィルタ４３と総称）と、リモコン５０からの操作信号に基づき、フィルタ４３のゲイン特性をフィルタ毎に調整する調整回路４４（調整部を構成）とを有する。フィルタは、図示の数に限定されず、複数であればよい。
【００１９】
各フィルタ４３は、音声信号を減衰させる減衰機能と音声信号を増幅させる増幅機能とを併せ持っており、放送受信回路２により受信された放送信号中の音声信号であってデコーダ２４により復号化されたものを減衰又は増幅の対象としている。フィルタ４３（フィルタ４３Ａ〜４３Ｅ）は、それぞれ、デコーダ２４から入力される復号化後の音声信号のうち、５つの周波数帯域の信号成分をそれぞれ増幅又は減衰させるものであって、増幅又は減衰対象の信号成分の中心周波数が互いに重ならないように設定されている。各フィルタ４３の中心周波数は、例えば、フィルタ４３Ａ〜４３Ｅの順に、１２０［Ｈｚ］、５００［Ｈｚ］、１．５［ｋＨｚ］、５［ｋＨｚ］、１０［ｋＨｚ］である。
【００２０】
各フィルタ４３は、増幅又は減衰対象の信号成分のうちの中心周波数の信号成分のゲイン（以下、単にゲインという）と、ゲイン特性のＱ値とをそれぞれ変更可能な構成とされており、例えば、ＩＩＲ（Infinite Impulse Response）フィルタ等により構成される。Ｑ値は、中心周波数をｆｒとし、半値幅をＢとすると、ｆｒ／Ｂで表される。また、調整回路４４は、各フィルタ４３について、フィルタのゲインと、フィルタのゲイン特性のＱ値とを独立して調整可能な構成とされている。各フィルタ４３及び調整回路４４がこのような構成を有することから、ＤＳＰ４はパラメトリックイコライザとして機能することができる。
【００２１】
音声調整機器４は、調整回路４４により調整されたゲイン特性を表示する特性表示部を有するが、本実施形態では、ディスプレイ５がその特性表示部として兼用される。ディスプレイ５は、複数のフィルタ４３Ａ〜４３Ｅのゲイン特性を１つの周波数軸上に並べて一括表示する。また、ディスプレイ５は、デコーダ２４から入力される復号化後の映像信号に基づき、映像を表示する。
【００２２】
リモコン５０は、操作キー５１と、ユーザによる操作キー５１の操作内容に応じた操作信号を生成する制御回路５２と、制御回路５２により生成された操作信号を受信回路７に無線送信する送信回路５３とを有する。送信回路５３と受信回路７との間の通信方式は、赤外線通信であるが、これに限定されない。
【００２３】
操作キー５１（調整部を構成）は、表示切替えキー５４、フィルタキー５５、ゲインキー５６、Ｑ値キー５７、方向キー５８、決定キー５９、及び選局キー６０を含む。方向キー５８は、左向きキー５８ａ、右向きキー５８ｂ、上向きキー５８ｃ、及び下向きキー５８ｄにより構成される。
【００２４】
表示切替えキー５４は、ディスプレイ５の表示モードを、フィルタ４３のゲイン特性を表示するフィルタ特性表示モードと、放送番組を表示する番組表示モードとの間で切り替えるためのキーである。
【００２５】
フィルタキー５５、ゲインキー５６、Ｑ値キー５７、方向キー５８、及び決定キー５９は、ディスプレイ５に表示されるフィルタ４３のゲイン特性を基に、そのゲイン特性をフィルタ毎に調整するためのキーである。フィルタキー５５、ゲインキー５６、及びＱ値キー５７は、それぞれ、フィルタ４３の設定項目を、フィルタ４３の選択設定、選択対象のフィルタ４３のゲイン設定、及びそのＱ値設定のいずれにするかを選ぶためのキーである。方向キー５８は、その選ばれた設定項目に応じて、フィルタ４３の選択、ゲイン調整、又はＱ値調整を行うためのキーとして機能する。決定キー５９は、方向キー５８による選択・調整内容を決定するためのキーである。このように、フィルタキー５５、ゲインキー５６、Ｑ値キー５７、方向キー５８、及び決定キー５９は、フィルタ４３のゲインと、フィルタ４３のゲイン特性のＱ値とを独立して調整可能な構成とされている。
【００２６】
選局キー６０は、ディスプレイ５が番組特性表示モードであるときに、チューナ２１による受信チャンネルを選択するためのキーである。
【００２７】
図３は、フィルタ特性表示モード時にディスプレイ５に表示されるゲイン特性のグラフを示す。そのグラフＧ１の横軸は周波数を表し、グラフＧ１はフィルタ４３の対周波数のゲイン特性Ｇ２を示す。
【００２８】
グラフＧ１では、ゲイン特性Ｇ２がドット状に表示されており、１つのドットＤ１はディスプレイ５の表示画面の１つ又は複数の画素で形成される。グラフＧ１では、各フィルタ４３の実際のゲイン特性曲線Ｌ２と周波数軸Ｌ１とで挟まれる範囲内にあるドットＤ１が、上記の範囲外のドットＤ１とは異なる色で表示され、このようにして、各フィルタ４３のゲイン特性Ｇ２が表示されている。各フィルタ４３のゲイン特性Ｇ２の傍には、各フィルタ４３による相対的な増幅度（図３のフィルタ４３Ａの場合、＋５と表示）又は減衰度（図３のフィルタ４３Ｅの場合、−３と表示）が表示されている。なお、ゲイン特性曲線Ｌ２は、実際の表示画面には表示されず、図３では、説明のため図示している。また、増幅度及び減衰度の表示方法は、上記に限定されない。また、グラフＧ１の周波数軸（横軸）が対数表示であって、ドットＤ１がマトリクス状に並んだ複数の画素で形成されている場合、周波数が高くなるほど、ドットＤ１の幅を狭めてもよい。
【００２９】
ディスプレイ５にグラフＧ１が表示されているときに、フィルタキー５５が押し下げられると、設定項目としてフィルタ４３の選択設定が選ばれ、選択対象のフィルタ４３を示すカーソルＣ１がグラフＧ１上に表示される。そして、左向きキー５８ａ又は右向きキー５８ｂが押下げ操作されると、その操作内容に応じて、カーソルＣ１が左方向又は右方向のフィルタに移動し、決定キー５９が押し下げられると、そのときにカーソルＣ１の在るフィルタ４３が選択対象に決定される。
【００３０】
図４は、選択対象のフィルタ４３のゲイン及びＱ値調整時におけるゲイン特性Ｇ２の変化を示す。ここでは、各フィルタ４３の代表として、フィルタ４３ｃ（ｆｒ＝１．５［ｋＨｚ］）のゲイン特性Ｇ２についてのみ説明する。
【００３１】
ゲインキー５６の操作により設定項目としてゲイン調整が選ばれたとき、上向きキー５８ｃが操作されると、フィルタ４３ｃのゲインは上昇し、グラフＧ１上の中心周波数ｆｒに対応するゲインも上がる。ゲインの上昇は段階的であって、例えば、上向きキー５８ａが１回、押下げられる毎に、実際のゲインは一定値だけ上昇し、グラフＧ１上のゲインは１つのドットＤ１分だけ高くなる。不図示であるが、下向きキー５８ｄが押下げ操作されるとき、上記と同じ態様で、ゲインが低くなる。
【００３２】
中心周波数ｆｒに対応するゲインが上がるに連れ、フィルタ４３ｃの特性に起因して、中心周波数ｆｒよりも高域側及び低域側の周波数に対応するゲインも上昇し、増幅又は減衰対象の信号成分の周波数帯域ｆｂが拡がる。上向きキー５８ｃ又は下向きキー５８ｄの操作によるゲイン調整後、決定キー５９が押し下げられると、調整内容が確定される。
【００３３】
Ｑ値キー５７の操作により設定項目としてＱ値調整が選ばれたとき、上向きキー５８ｃが操作されると、フィルタ４３ｃの周波数帯域ｆｂが狭くなり、それによってＱ値が高くなり、グラフＧ１上の表示も同様に変化する。周波数帯域ｆｂの縮小は段階的であって、例えば、上向きキー５８ｃが１回、押下げられる毎に、実際の周波数帯域ｆｂが、中心周波数ｆｒの高域側及び低域側のいずれにおいても、一定値だけ狭くなり、グラフＧ１上の周波数帯域ｆｂも、中心周波数ｆｒの高域側及び低域側のいずれにおいても、１つのドットＤ１分だけ狭くなる。下向きキー５８ｄが押下げ操作されるとき、上記と同じ態様で、周波数帯域ｆｂは段階的に広くなり、それに伴って、Ｑ値も段階的に低くなる。上向きキー５８ｃ又は下向きキー５８ｄの操作によるＱ値調整後、決定キー５９が押し下げられると、調整内容が確定される。
【００３４】
本実施形態では、ディスプレイ５に表示される各フィルタ４３のゲイン特性Ｇ２から、ユーザが各フィルタ４３のゲイン及びＱ値を直感的に認識することができる。また、その表示されるゲイン特性Ｇ２を見ながらリモコン５０を用いてゲイン及びＱ値を調整することができ、調整操作が簡単になる。しかも、ディスプレイ５におけるゲイン特性Ｇ２の表示は、全てのフィルタ４３のゲイン特性Ｇ２が１つの周波数軸上に並べられたものなので、ユーザが全てのフィルタ４３間のゲイン特性Ｇ２のバランスを把握し易くなり、音声調整機器４による調整後の音声の各周波数帯域の音量バランスを掴み易くなる。
【００３５】
また、放送番組を表示するディスプレイ５が、フィルタ４３のゲイン特性Ｇ２を一括表示する特性表示部として兼用されることから、フィルタ４３の数が多い場合、フィルタ４３が増幅又は減衰対象とする信号成分の周波数帯域が広かったとしても、各フィルタ４３のゲイン特性Ｇ２を大きく表示することができ、ユーザがゲイン特性Ｇ２を見易くなる。また、表示器の数を減らして、小型化及び低コスト化を図ることができる。
【００３６】
また、フィルタ４３のいずれかのＱ値を調整したときに、そのフィルタと、中心周波数が近い他のフィルタとの間で、増幅又は減衰対象の信号成分の周波数帯域が重なったとしても、従来のように各フィルタのゲイン特性が個別に切替え表示される場合と比べ、重なりに気付き易くなる。
【００３７】
次に、上記実施形態の一変形例に係るＴＶ受像機について説明する。図５は、本変形例のグラフＧ１を示す。本変形例のグラフＧ１では、中心周波数ｆｒに対応するゲインを示すドットＤ２に、所定の色が付され、中心周波数ｆｒ以外の周波数に対応するゲインを示すドットＤ３に、ドットＤ２とは濃さが異なる同色、又はドットＤ２とは別の色が付され、このようにして、ドットが塗り分けられている。ドットＤ２とドットＤ３との間で濃さだけが異なる場合、中心周波数ｆｒのゲインが強調されるように、ドットＤ２の色はドットＤ３の色よりも濃くなるように設定されていることが望ましい。本変形例においては、ドットの塗り分けにより、ドットＤ２を基準にドットＤ３の広がりを視認し易くなり、各フィルタ４３のゲイン特性Ｇ２のＱ値をさらに直感的に把握し易くなる。
【００３８】
なお、本発明は、上記の実施形態の構成に限定されるものでなく、使用目的に応じ、様々な変形が可能である。例えば、各フィルタの中心周波数は、リモコンの操作キーを操作することにより、変更可能であってもよい。また、操作キーは、ＴＶ受像機本体に設けられていても構わない。また、ＤＶＤ／ＢＤ（Blu-ray Disc）プレーヤ等の映像音声再生装置に接続可能とし、その映像音声再生装置から入力される音声信号を音声調整機器による音声調整対象とし、映像音声再生装置から入力される映像信号をディスプレイによる表示対象としてもよい。
【符号の説明】
【００３９】
１  テレビジョン受像機
２  放送受信回路（放送受信部）
４  音声調整機器
４３、４３Ａ〜４３Ｅ  フィルタ
４４  調整回路（調整部を構成）
５  ディスプレイ（特性表示部、映像表示部）
５０  リモートコントローラ
５１  操作キー（調整部を構成）
ｆｒ  中心周波数
Ｄ１  ドット
Ｄ２  中心周波数に対応するゲインを示すドット
Ｄ３  中心周波数以外の周波数に対応するゲインを示すドット
【図１】
2013150277.tif 000003
【図２】
2013150277.tif 000004
【図３】
2013150277.tif 000005
【図４】
2013150277.tif 000006
【図５】
2013150277.tif 000007